(57)【要約】【課題】前面枠の下枠板部の前側にスピーカや各種スイッチ等の機能部材を設置する取付スペースを設け、その機能部材の設計が自由に行なえると共にその組立も容易に行なえるようにしたパチンコ遊技機を提供する。【解決手段】前面枠２の下枠板部２ａの一側に球排出口２７が開設され、下枠板部２ａ前面に装着される前板１４の前面には球排出口２７と連通する上球皿１３が装着されたパチンコ遊技機Ｐであって、前記下枠板部２ａの後側に該下枠板部２ａを前面枠２の厚み幅の範囲内で前方へ窪ませて球貯留部３２を成形し、球排出口２７に隣接させて球貯留部３２と連通する溢出口２８を開設し、また、下枠板部２ａの前側に球貯留部３２内のパチンコ球を球抜きする球抜部１５を配設し、下枠板部２ａの前側であって球抜部１５の側方に機能部材４９を設置できる取付スペースＡを設けた。【選択図】図２
2006061596.tif 000002
【特許請求の範囲】
【請求項１】
遊技盤が設置される前面枠の下枠板部の一側に球払出装置から払い出されるパチンコ球を該前面枠の前側へ排出する球排出口が開設され、前記下枠板部の前面に前板が装着され、前記前板の前面には前記球排出口と連通し該球排出口から排出され打球発射部へ供給されるパチンコ球を貯留するための上球皿が装着されたパチンコ遊技機であって、
前記下枠板部の後側に該下枠板部を前記前面枠の厚み幅の範囲内で前方へ窪ませると共にその開放する後面を後面板によって覆着することにより球貯留部を成形し、前記球排出口に隣接位置させて該球排出口と連通しかつ前記球貯留部とその上端部で連通する溢出口を開設し、また、前記下枠板部の前側に前記球貯留部内のパチンコ球をパチンコ遊技機の外に球抜きするための球抜部を配設し、前記下枠板部の前側であって前記球抜部の側方にスピーカ、表示部、操作部等の機能部材を設置できる取付スペースを設けるようにしたことを特徴とするパチンコ遊技機。
【発明の詳細な説明】
【技術分野】
【０００１】
本発明は、前面枠の下枠板部の後側に球貯留部を成形し、該球貯留部に上球皿から溢れるパチンコ球を貯留し、また、下枠板部の前側に前記球貯留部内のパチンコ球をパチンコ遊技機の外に球抜きする球抜部を配設するようにしたパチンコ遊技機に関するものである。
【背景技術】
【０００２】
従来、パチンコ遊技機は、前面枠の上部前面に遊技盤の前面を覆う透明板保持枠が装着され、その下部前面に該下部前面を覆う前板が装着されており、該前板の前面に打球発射部へ供給されるパチンコ球を貯留する上球皿が装着され、また、前記前面枠の下部前面には上球皿から溢れるパチンコ球を貯留する下球皿が装着されている（例えば、特許文献１参照。）。そのうち、前記上球皿や下球皿にスピーカや各種スイッチ等機能部材を備えさせたパチンコ遊技機が有る（例えば、特許文献１，２参照。）。
【特許文献１】特開平１１−２０６９９６号公報(第３頁、図１)
【特許文献２】特開２００２−１７２２１７号公報(第２−４頁、図１、図４)
【発明の開示】
【発明が解決しようとする課題】
【０００３】
前記特許文献１または特許文献２における上球皿や下球皿は、通常その中に一定数のパチンコ球が貯留し得るように貯留部の大きさがほぼ決まっており、その周囲を囲うカバー部材も正面から見て左右に長く成形されている。このため、例えば下球皿にスピーカや各種スイッチ等の機能部材を装着するとなると、貯留部部位を外した他の部位でなければならず、しかも、内部の他の部材とも緩衝しない部位を選択して決定しなければならないことから、取付位置の条件にかなり制約が加えられ、その自由度がほとんど無いという課題がある。例えば、スピーカを装着する場合、音響効果を考慮して下球皿の左右両側に均等に配置したい場合も、前記取付位置の条件に拘束され装着できないことがある。これでは、所望の音響効果が発揮できなくて十分な遊技の興趣が得られない。
【０００４】
また、前記スピーカはほとんど上球皿や下球皿の内部に組み込まれるが、その内部には他の部材も組み込まれていることから、それら上・下球皿の構造が複雑になってその組立に面倒な作業を強いられるという課題がある。
【０００５】
そこで、本発明は上記課題を解決すべくなされたもので、前面枠の下枠板部の前側にスピーカや各種スイッチ等の機能部材を設置する取付スペースを設け、その機能部材の設計が自由に行なえると共にその組立も容易に行なえるようにしたパチンコ遊技機を提供することを目的とするものである。
【課題を解決するための手段】
【０００６】
かかる目的を達成するため本発明に係るパチンコ遊技機は、遊技盤が設置される前面枠の下枠板部の一側に球払出装置から払い出されるパチンコ球を該前面枠の前側へ排出する球排出口が開設され、前記下枠板部の前面に前板が装着され、前記前板の前面には球排出口と連通し該球排出口から排出され打球発射部へ供給されるパチンコ球を貯留するための上球皿が装着されたパチンコ遊技機であって、前記下枠板部の後側に該下枠板部を前面枠の厚み幅の範囲内で前方へ窪ませると共にその開放する後面を後面板によって覆着することにより球貯留部を成形し、球排出口に隣接位置させて該球排出口と連通しかつ球貯留部とその上端部で連通する溢出口を開設し、また、下枠板部の前側に球貯留部内のパチンコ球をパチンコ遊技機の外に球抜きするための球抜部を配設し、下枠板部の前側であって球抜部の側方にスピーカ、表示部、操作部等の機能部材を設置できる取付スペースを設けるようにした。
【発明の効果】
【０００７】
本発明に係るパチンコ遊技機は、前面枠の下枠板部の後側に該前面枠の厚み幅の範囲内で上球皿から溢れるパチンコ球を貯留する球貯留部を成形し、また、下枠板部の前側に前記球貯留部内のパチンコ球をパチンコ遊技機の外に球抜きするための球抜部を配設し、前記下枠板部の前側であって前記球抜部の側方に取付スペースを設けるようにしたので、スピーカ、表示部、操作部等の機能部材を設置できる十分なスペースが確保される。よって、機能部材の設計が自由に行なえるという効果が有る。また、機能部材を含めた球抜部の組立も容易に行なえることから、組立てに面倒な作業を強いられることがないという効果も有る。
【発明を実施するための最良の形態】
【０００８】
以下、本発明に係るパチンコ遊技機の実施の形態を図面に基づき説明する。図１は本発明に係るパチンコ遊技機の前面斜視図、図２は同透明板保持枠と前板を開き下覆板を外した状態の斜視図、図３は同裏面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は合成樹脂製であってその上部中央に略円形の窓開口４が開設され、下部にはその前面に後記する前板１４や下覆板１６が取着される下枠板部２ａが成形される。
【０００９】
前記前面枠２の裏側に下枠板部２ａの上面に載るようにして遊技盤５が設置される。そして、遊技盤５前面の遊技部５ａが、内側・外側ガイドレール６ａ，６ｂに囲われるようにして前記窓開口４に臨むようになっている。遊技盤５の遊技部５ａには、ほぼ中央に位置して数字、図柄等の情報が変動表示される可変表示装置７、その下方に位置してパチンコ球の入賞によって該可変表示装置７を作動させる始動入賞口８、更にその下方に位置して前記可変表示装置７の情報が特定の表示に揃ったとき一定の条件で一度に多くの入賞球としてのパチンコ球が得られる入賞装置９、一般入賞口１０といった盤面部品がそれぞれ装着されている。
【００１０】
前面枠２の上部前面に、遊技盤５前面の遊技部５ａを覆い２枚の透明板としてのガラス板１１を前後に平行に配置した透明板保持枠１２が開閉自在に軸着される。また、前面枠２の下枠板部２ａの前面に前記透明板保持枠１２の下方に位置して上球皿１３を装着した前板１４が開閉自在に軸着される。更に、前板１４の下方で下枠板部２ａの前面一側に球抜部である合成樹脂製の球抜皿１５を装着した下覆板１６が螺子１６ａ止めにより固着され、また、前面他側に操作ハンドル１７を装着した保持板１８が固着されている。
【００１１】
前面枠２の裏側に、遊技盤５の裏面を覆うようにして合成樹脂製の機構板１９が回動自在に装着される。機構板１９の中央に、遊技盤５の裏面に取り付けられ遊技盤５の裏側へ入賞球として排出されるパチンコ球を集め下方へ導く入賞球集合カバー２０が臨む開口２１が開設される。機構板１９の裏面に、前記開口２１を囲うようにその上部に球タンク２２が配置され、その下方にタンクレール２３が配置されると共にその流下端にカーブレール２４を介して球払出装置２５が配設されている。球払出装置２５の下方に、その球払出装置２５から排出されるパチンコ球を前記上球皿１３に導くための球払出樋２６が設けられる。
【００１２】
前記前面枠２の下枠板部２ａには、その一側上部に前記球払出樋２６と連通し、球払出装置２５から払い出されるパチンコ球を前面枠２の前側へ排出する球排出口２７が開設される。また、該球排出口２７に隣接位置させて下枠板部２ａに上球皿１３から溢れるパチンコ球を排出するための溢出口２８が開設される。すなわち、図６に示すように前記球払出樋２６における球排出口２７側に寄せた内壁一側に溢れ球口２９が開設され、該溢れ球口２９が溢れ球排出樋３０を介してその下端の溢出口２８と連通するようになっている。前記溢出口２８は下枠板部２ａの裏側に成形され後記する球貯留部３２とその上端部で連通しており、上球皿１３から溢れたパチンコ球を球排出口２７、溢れ球口２９を介して溢れ球排出樋３０内に流入させ、その流下端の溢出口２８から球貯留部３２内に排出して貯留することになる。
【００１３】
そして、本発明では図４、図５に示すように前記下枠板部２ａの後側に、操作ハンドル１７側を残して下枠板部２ａを前面枠２の厚み幅の範囲内で前方へ窪ませると共にその開放する後面を後面板３１によって覆着することにより、下枠板部２ａと後面板３１との間に球貯留部３２が成形される。この球貯留部３２は、前記上球皿１３から溢れるパチンコ球を貯留するようにしたもので、従来の下球皿に貯留される平均的なパチンコ球量がそのまま貯留される程度の広さを有する。前記球排出口２７と溢出口２８に対応する球貯留部３２の上端面は開放しており、該各上端開放面３３ａ，３３ｂに球排出口２７と溢出口２８がそれぞれ上から臨むようになっている。
【００１４】
下枠板部２ａの操作ハンドル１７側には、その前面に打球発射レール３４が装着される。該打球発射レール３４の先端は前記外側ガイドレール６ｂの基端部にファール球排出通路３５を介して連なっている。また、保持板１８の後側に操作ハンドル１７を握ることにより通電して駆動する駆動モータ３６と該駆動モータ３６によって往復回動する打球槌３７とが配置され、前記打球発射レール３４の打球発射部３４ａに打球槌３７が臨み打球発射部３４ａの位置にあるパチンコ球を打球して発射させるようにしている。打球槌３７の打球力は操作ハンドル１７の回動量によって調節される。
【００１５】
前記上端開放面３３ａ，３３ｂの他に、前記球貯留部３２の外周面であってほぼ中央にファール球排出通路３５と連通する横向きのファール球導入口３８が開設される。また、球貯留部３２前面の中央寄り上部に、前記前板１４の後面に開設され上球皿１３から球送り通路３９を介して球抜きされたパチンコ球を排出するための上皿球抜口３９ａと連通する球受入れ口４０が開設される。更に、同じく前面の中央寄り下部には、球貯留部３２に貯留されるパチンコ球を球抜きするための貯留部球抜口４１が開設されている。
【００１６】
球貯留部３２内は、下辺の底板４２が貯留部球抜口４１に向かって下傾しており、貯留部球抜口４１の上方に正面略コ字型の受板４３が配置される。また、球貯留部３２の一側に後面板３１から前方へ突出しかつその下端面と底板４２上面との間に空間部が成形されるようにして縦長方形枠４４が配置される。そして、該縦長方形枠４４と近接する側壁との間に上端が前記溢出口２８に対応する上端開放面３３ｂとなる縦通路４５が成形される。
【００１７】
縦長方形枠４４には縦通路４５側に透口４６が開設され、該透口４６の上端に該透口４６を塞ぐようにして検知板４７が揺動自在に軸着されている。この検知板４７は、球貯留部３２内に溜まるパチンコ球の球量を検知するためのものであり、常にはその下部が透口４６から縦通路４５側に張り出している。また、縦長方形枠４４内には、検知板４７と対向位置してリミットスイッチ４８が配置され、検知板４７がパチンコ球に押されて内側へ揺動したときそれを電気的に検知し、球貯留部３２がパチンコ球で一杯であることを知らせるようになっている。球貯留部３２の前面他側に、機能部材であるスピーカー４９を嵌入する収容凹部５０が凹設されている。
【００１８】
前記下覆板１６には、図７に示すようにその中央に前記貯留部球抜口４１と連通する連通口５１が開設される。そして、下覆板１６の前面に連通口５１を囲うようにして球抜皿１５が装着される。この球抜皿１５はパチンコ球を貯留するというよりも、そこからパチンコ球を抜くためのものである。よって、従来の下球皿に比べて非常に小さく成形される。そして、球抜皿１５の下面に球抜き口５２が開設されると共に該球抜き口５２にスライドして該球抜き口５２を開閉するシャッター板５３が設けられている。
【００１９】
前記シャッター板５３は、スプリングなどの弾発手段（図示せず。）によって常に球抜き口５２を塞ぐように付勢され、シャッター板５３に一体に設けられた摘み５４を持ち弾発手段に抗して該シャッター板５３をスライドさせることにより、球抜き口５２が開口できるようになっている。また、球抜皿１５の上面は開放されているが、これは、例えば、遊技中に上球皿１３に球貯留部３２内のパチンコ球を補給したい場合に遊技者が球抜皿１５から手で直接パチンコ球を取り出せるようにするためであって、他の手段が可能であれば前記球抜皿１５の上面に蓋をして内部を密閉状にしても良い。
【００２０】
前記下覆板１６の前面であって球抜皿１５の一側に前記スピーカ４９を覆うスピーカカバー５５が取着される。スピーカ４９は遊技者のほぼ前面に位置し向き合うことから、出される音は遊技者に直に伝わり迫力有る音響効果が得られる。また、球抜皿１５の他側に機能部材である２個のスイッチボタン５６ａ，５６ｂ及び灰皿５７が装着される。前記一方のスイッチボタン５６ａは、例えば、遊技中に一時打球の発射を止めるため、また、他方のスイッチボタン５６ｂは、例えば、可変表示装置７の表示部に変動して表示される情報を遊技者の意思で停止させるためのものである。また、前記スイッチボタン５６ａ，５６ｂはそれらに限定されるものではなく、他の用途に使用しても良い。
【００２１】
このように、下覆板１６の前面に配設される球抜皿１５は、球貯留部３２に貯留されるパチンコ球を排出させる働きしかなく、従来の下球皿のように大型化せずコンパクトに成形されるので、下覆板１６の前面であって球抜皿１５の両側に広い取付スペースＡ，Ａが設けられる。よって、それら取付スペースＡを利用して前記スピーカ４９やスイッチボタン５６ａ，５６ｂといった機能部材の設計が自由に行なえる。
【００２２】
前板１４を閉じたとき、球貯留部３２の前面上部が該前板１４により覆われ、前板１４に貫通状に取着され上球皿１３と連なる連絡樋５８の後端面が前面枠２側の球排出口２７に合致し、球払出装置２５から払い出されるパチンコ球が上球皿１３に排出される。一方、遊技中であって上球皿１３及び球払出樋２６にパチンコ球が連なって貯留されており、故障などの点検のため前板１４を開いた場合であっても、前記球払出樋２６に残っているパチンコ球は、そのまま上端開放面３３ａを介して球貯留部３２内に取り込まれることになり、外部に零れ落ちるようなことはない。
【００２３】
また、図３、図７に示すように機構板１９の裏側下部に、各入賞口またはアウト球排出口から遊技盤５の裏面に入賞球として排出されるパチンコ球とアウト球としてのパチンコ球を集合させる球集合樋５９が設けられる。また、その中央に下端が開放し前記球集合樋５９内のパチンコ球をパチンコ遊技機Ｐの外側へ排出する球放出樋６０が設けられている。この球放出樋６０は、後面板３１の後面から後方へ比較的離して配置される。よって、後面板３１すなわち前面枠２の下枠板部２ａの裏側に自由な組付スペースＳ，Ｓが確保され、それら組付スペースＳ，Ｓに例えば遊技を制御するための配線基板ボックス６１を装着できることになる。
【００２４】
本発明に係るパチンコ遊技機Ｐは上記構成からなり、次に作用について説明する。例えば、遊技中に始動入賞口８にパチンコ球が入賞し、可変表示装置７の表示部の情報が変動し、一定時間経過後に特定の組合せ（例えば、「７７７」）に揃い大当たり状態となると、入賞装置９の扉が一定の条件のもとで複数回開いてその入賞装置９に多くのパチンコ球が入賞する。これに伴い、球払出装置２５が動作して多くのパチンコ球が賞球として払い出される。これらパチンコ球は、球払出樋２６に導かれて球排出口２７を介して上球皿１３に貯留される。
【００２５】
そして、上球皿１３がパチンコ球で一杯になりパチンコ球が溢れるようになると、図６に示すようにこの溢れるパチンコ球は球排出口２７内側の溢れ球口２９から溢れ球排出樋３０に流入し、更に、該溢れ球排出樋３０に導かれて溢出口２８から上端開放面３３ｂを介し縦通路４５を通過しつつ球貯留部３２内に流入する。図７に示すように流入したパチンコ球の内、先のパチンコ球は底板４２上面を転動し、貯留部球抜口４１を介して球抜皿１５に達する。この球抜皿１５には僅かなパチンコ球しか停留せず、ほとんどのパチンコ球は球貯留部３２内に貯留されることになる。
【００２６】
球貯留部３２に一定量のパチンコ球が溜まり縦通路４５内にまで達すると、検知板４７が球圧により縦長方形枠４４内に回動し、これに伴いリミットスイッチ４８がオン動作して球貯留部３２にパチンコ球が一杯であることを知らせる。その方法として例えば、駆動モータ３６の回転を停止して打球動作を不能にさせる。そこで、遊技者は球抜皿１５の下方に球箱（図示せず。）を置き、摘み５４を持ちシャッター板５３をスライドさせて球抜きを行なう。球貯留部３２内のパチンコ球が減ってきて検知板４７が球圧から開放されもとの位置に復帰すると、リミットスイッチ４８がオフ動作し、再び打球の発射動作が行なえるようになる。
【００２７】
また、打球発射部３４ａから発射されたパチンコ球であって運悪く遊技盤５の遊技部５ａに達せず、逆戻りしたファール球としてのパチンコ球はファール球排出通路３５に落下してファール球導入口３８から球貯留部３２内に貯留される。一方、遊技終了後に上球皿１３内にパチンコ球が残っている場合、これらパチンコ球は、上球皿１３に設けられる球抜きレバー（図示せず。）を操作することにより、上皿球抜口３９ａ及び球受入れ口４０を介して球貯留部３２に貯留される。
【００２８】
このように、本発明は、前面枠２の下枠板部２ａの後側に該前面枠２の厚み幅の範囲内で上球皿１３から溢れるパチンコ球を貯留する球貯留部３２を成形し、また、下覆板１６の前面に球貯留部３２内のパチンコ球をパチンコ遊技機Ｐの外に球抜きするための球抜皿１５を配設し、下覆板１６の前面であって球抜皿１５の両側にそれぞれ取付スペースＡを設けるようにしたので、スピーカ４９，スイッチボタン５６ａ，５６ｂ等の機能部材を設置できる十分なスペースが確保される。
【００２９】
また、スピーカ４９やスイッチボタン５６ａ，５６ｂ等の機能部材は球抜皿１５の外側に設置されるので、前記機能部材を含めた球抜皿１５の組立も容易に行なえることとなり、その組立てに面倒な作業を強いられることはない。
【００３０】
図８、図９は他の実施の形態に係るパチンコ遊技機Ｐを示すものであり、これは本実施の形態に係るパチンコ遊技機Ｐと構成がほとんど同じであるので、同一部位は同一番号を付すことによって詳しい説明は省略する。このパチンコ遊技機Ｐは、下覆板１６の前面に配置される球抜皿１５両側の取付スペースＡ，Ａにスピーカ４９ａ，４９ａを設置するようにしたものである。
【００３１】
更に、詳しく説明すると、合成樹脂製の球抜皿１５はその両側縁が連続して延設され、その両側に前方へ膨出し後面が開放するスピーカボックス６２，６２が一体に成形される。これらスピーカボックス６２，６２は左右対称であって同じ構造であるので、便宜上一方のスピーカボックス６２について説明する。このスピーカボックス６２の前面に斜め上かつやや外側を向いた透音孔６３が開設され、これらと対応してその内部にスピーカ４９ａが配置される。スピーカ４９ａは、図９に示すように先端側の円錐形状フレーム６４にその後側から環状の支持枠６５が冠着されると共にその前側から前記円錐形状フレーム６４とほぼ同じ大きさの固定リング６６が嵌められる。また、支持枠６５の外周縁の所定位置に複数のネジ挿通孔６７が設けられ、スピーカボックス６２の内周面には各透音孔６３の周囲に前記各ネジ挿通孔６７に対応して先端にネジ孔６８を有するボス６９が突設されている。
【００３２】
そして、各ネジ孔６８にネジ挿通孔６７を合致させ、各ネジ挿通孔６７を介して各ネジ孔６８にネジ７０を螺子締めすることによりスピーカ４９ａが取り付けられる。そこで、遊技者がパチンコ遊技機Ｐの前面に座って位置したとき、前記両透音孔６３，６３が腰の前方両側に位置し、しかも、前側に下傾していることから、各スピーカ４９ａから出される音が遊技者に左右から伝わり立体的な音響効果が得られ、遊技の興趣が一段と高められる。
【００３３】
本発明にあっては、前面枠２の前面に前板１４と下覆板１６とをそれぞれ別個に取付けるようにしたパチンコ遊技機Ｐについて説明したが、例えば前板１４と下覆板１６とが一体になった場合、または下覆板１６がなく球抜皿１５が下枠板部２ａの前面に直接配設される場合であっても、それらの前面に取付スペースＡを設けて本発明が適用できることは勿論である。すなわち、前面枠２である下枠板部２ａの前側に球抜皿１５が配設され、下枠板部２ａの前側であって球抜皿１５の側方にスピーカ４９，４９ａ等の機能部材が設置されることになる。
【図面の簡単な説明】
【００３４】
【図１】本発明に係るパチンコ遊技機の前面斜視図。
【図２】同透明板保持枠と前板を開き下覆板を外した状態の斜視図。
【図３】同裏面図。
【図４】同前板と下覆板を外した状態の正面図。
【図５】機構板を外すと共に後面板を外した状態の前面枠の裏面斜視図。
【図６】図４のＸ−Ｘ線断面図。
【図７】パチンコ遊技機の一部の縦断面図。
【図８】透明板保持枠と前板を開き下覆板を外した状態の他の実施の形態に係るパチンコ遊技機の斜視図。
【図９】同スピーカボックスの拡大側面断面図。
【符号の説明】
【００３５】
２                    前面枠
２ａ                  下枠板部
５                    遊技盤
１３                  上球皿
１４                  前板
１５                  球抜部（球抜皿）
２５                  球払出装置
２７                  球排出口
２８                  溢出口
３１                  後面板
３２                  球貯留部
３４ａ                打球発射部
４９                  機能部材（スピーカ）
４９ａ                機能部材（スピーカ）
５６ａ                機能部材（スイッチボタン）
５６ｂ                機能部材（スイッチボタン）
Ａ                    取付スペース
Ｐ                    パチンコ遊技機
【図１】
2006061596.tif 000003
【図２】
2006061596.tif 000004
【図３】
2006061596.tif 000005
【図４】
2006061596.tif 000006
【図５】
2006061596.tif 000007
【図６】
2006061596.tif 000008
【図７】
2006061596.tif 000009
【図８】
2006061596.tif 000010
【図９】
2006061596.tif 000011